(57)【要約】【課題】シャワーヘッドからシャワーを勢い良く出してもシャワーの反力でシャワーヘッドが回転せず、シャワーヘッドの方向が変わらないようにする。【解決手段】複数の水滴流を吐出するシャワーヘッド１２と、シャワーヘッド１２に水を供給するホース１４と、シャワーヘッド１２を保持するシャワーホルダ１８とを備え、シャワーヘッド１２は複数の水滴流を吐出する吐出部２２を有し、シャワーホルダ１８は壁に取り付けられ、シャワーヘッド１２のシャワーホルダ１８に嵌合する部位の外側の断面形状は多角形になっており、シャワーホルダ１８の内側はシャワーヘッド１２のシャワーホルダ１８に嵌合する部位の外側と略同じ形状と大きさになっている。【選択図】図１
2009213521.tif 000002
【特許請求の範囲】
【請求項１】
複数の水滴流を吐出するシャワーヘッドと、該シャワーヘッドに水を供給するホースと、該シャワーヘッドを保持するシャワーホルダとを備え、該シャワーヘッドは複数の水滴流を吐出する吐出部を有し、該吐出部には水滴流を吐出する複数の細孔が設けられ、該シャワーホルダは壁に取り付けられ、該シャワーヘッドのシャワーホルダに嵌合する部位の外側の断面形状は多角形になっており、該シャワーホルダの内側の断面形状は該シャワーヘッドの外側の断面形状と略同じになっていることを特徴とするシャワー装置。
【請求項２】
前記シャワーヘッドのシャワーホルダに嵌合する部位の外側の断面形状が１２角形〜１８角形であることを特徴とする請求項１に記載のシャワー装置。
【発明の詳細な説明】
【技術分野】
【０００１】
本発明は、浴室やシャワールームなどに設けられるシャワー装置、特に、シャワーホルダにシャワーヘッドを保持した状態で通水した時に、シャワーヘッドから吐出するシャワーの勢いによってシャワーヘッドが回転しないようにしたシャワー装置に関するものである。
【背景技術】
【０００２】
一般に、お風呂場やシャワールームには身体や頭を洗うためにシャワー装置が取り付けられている。シャワー装置には、壁に直接取り付けられている固定式のものと、壁に取り付けられたシャワーホルダに差し込んで使う着脱式のものとがある。最近は、固定式のシャワー装置は少なく、着脱式のシャワー装置が多くなっている。図６にその一例を示す。
【０００３】
同図において、１００はシャワー装置であり、シャワー装置１００はシャワーを吐出するシャワーヘッド１０２と、シャワーヘッド１０２に水又は温水を供給するホース１０４と、シャワーヘッド１０２を壁に保持するシャワーホルダ１０６とからなる。
【０００４】
シャワーヘッド１０２は本体部１０８と、本体部１０８の先端付近に設けられた吐出部１１０と、本体部１０８の基端に設けられた保持部１１２とからなる。
【０００５】
本体部１０８は手で握れる程度の太さのやや曲がった管状体からなり、吐出部１１０はシャワーを吐出するための多数の細孔を備えた面状体からなり、保持部１１２は本体部１０８の基端部に取り付けられた金属製のリング体からなる。
【０００６】
ホース１０４は可撓性を有する材料からなる。ホース１０４の一方の端部は第一接続金具１１４を介してシャワーヘッド１０２の本体部１０８の基端に接続され、ホース１０４の他方の端部は第二接続金具（図示せず）を介して混合水栓（図示せず）に接続されている。第一接続金具１１４、第二接続金具（図示せず）はいずれも中空のボルトとナットからなる。
【０００７】
シャワーホルダ１０６は断面略Ｃ字状のブロック状部材からなる。シャワーホルダ１０６は浴室の壁に取り付けられ、シャワーホルダ１０６の中にはシャワーヘッド１０２の保持部１１２が差し込まれた状態で保持されている。
【０００８】
シャワー装置１００は、使用者が混合栓（図示せず）で熱湯と水を混合し、ちょうど良い温度の温水にし、ホース１０４を介してシャワーヘッド１０２に供給し、シャワーヘッド１０２からこの温水をシャワー状態で吐出させ、温水を頭や身体にかけて使う。
【０００９】
シャワー装置１００は通常２通りの使い方がされている。一つは、シャワーヘッド１０２をシャワーホルダ１０６に掛け、シャワーヘッド１０２を使用者の側に向けて使う方法である。もう一つは、シャワーヘッド１０２を手で持ち、身体の適宜の部位にかける方法である。
【００１０】
前者の方法は、使用者がシャワーヘッド１０２の下に入り、ちょうど良い立ち位置に立ってシャワーを身体に浴びるものである。両手が自由なので、両手で身体を洗うことができる。ただし、シャワーが上の方からのみ来るので、身体の陰になる脇の下や股間等の部位は洗い難いという欠点がある。
【００１１】
後者の方法は、使用者がシャワーヘッド１０２を手で持ち、シャワーをかけたい部位に温水をかける。下方から上方に向けてシャワーを吐出させることができるので、身体の陰になる部位にかけることができるという利便がある。ただし、片手がシャワーヘッド１０２を持っていて塞がれているので、残りの片手で身体を洗わなければならず、身体をしっかりこすり難いという欠点がある。
【００１２】
ところで、シャワーヘッド１０２をシャワーホルダ１０６に掛けて使う場合、シャワーヘッド１０２から温水を出したとき又はシャワーヘッド１０２から温水を出しているうちに、図７に示すように、吐出する温水の勢いでシャワーヘッド１０２が旋回し、シャワーヘッド１０２から吐出する温水シャワーの方向がずれてしまうことがある。特に、シャワーヘッド１０２の細孔から出る温水の量が場所によって偏っている場合、シャワーヘッド１０２は更に回転し易い。
【００１３】
このような場合、使用者はシャワーヘッド１０２が回転する度にシャワーヘッド１０２を元の角度位置に旋回させて戻さなければならず、イライラする
【００１４】
この問題に対し、吐出するお湯の反力では旋回しないようにシャワーヘッド１０２を重くしたものが提供されている。このタイプのシャワーはヘッドを重くしているので、確かに吐出するお湯の反力では旋回しない。
【００１５】
しかし、このシャワーヘッド１０２はシャワーホルダ１０６に掛けて使用する場合は良いが、手で持って使う場合は重すぎ、腕に負担がかかりすぎ、腕が疲れるという問題点がある。また、シャワーヘッドが重過ぎるので、誤って落とした場合、シャワーヘッド１０２が壊れたり、シャワールームや風呂場の床が傷付くという問題がある。
【特許文献１】特開２００７−２７０５７９号公報
【発明の開示】
【発明が解決しようとする課題】
【００１６】
本発明が解決しようとする問題点は、従来のシャワーが通水時にシャワーの勢いでヘッドが旋回してシャワーの方向が変わってしまう点である。
【課題を解決するための手段】
【００１７】
本発明は、シャワーヘッドが通水時にシャワーの勢いで旋回しないようにするため、シャワーヘッドのシャワーホルダで係合される部分を多角形とし、シャワーホルダの内側を同じ多角形としたことを最も主要な特徴とする。
【発明の効果】
【００１８】
本発明のシャワー装置は、シャワーヘッドのシャワーホルダに嵌合する部位が多角形となっていて、シャワーホルダの内側が同じ大きさの多角形になっているので、シャワーホルダにシャワーヘッドを掛けた時にシャワーヘッドはシャワーホルダに嵌合し、シャワー装置に通水した際、シャワーヘッドが旋回しようとしてもシャワーヘッドがシャワーホルダに固定されていて旋回せず、一定方向を向いており、シャワーヘッドからは一定方向にシャワーが吐出され、シャワーヘッドの方向を直す必要がなく、従って、シャワーを使用する者にイライラ感を与えないという利点がある。
【００１９】
また、本発明のシャワー装置は、シャワーの使用中にシャワーヘッドが旋回する心配が無いので、シャワーヘッドを軽く作ることができ、従って、使い勝手が非常に良いという利点がある。
【００２０】
また、本発明のシャワー装置は、シャワーヘッドの嵌合部位とシャワーホルダの内側が１２〜１８角形になっているので、水垢や有機物が溜まり難く、掃除もし易く、衛生的であるという利点がある。
【００２１】
また、本発明のシャワー装置は、シャワーヘッドの外側とシャワーホルダの内側が１２〜１８角形になっているので、シャワーヘッドをシャワーホルダに差し込むだけで簡単に嵌合させることができ、見ないで差し込むことができ、従って、シャワーヘッドの使い勝手が良いという利点がある。
【発明を実施するための最良の形態】
【００２２】
吐出するシャワー（多数の水滴流）の反作用でシャワーヘッドを旋回させる力がシャワーヘッドに作用してもシャワーヘッドを旋回させないという目的を、シャワーヘッドとシャワーホルダの嵌合部の形状を多角形にするという簡単な構成で、シャワーヘッドの使い勝手を損なわずに実現した。
【００２３】
図１は本発明の一実施例に係るシャワー装置の斜視図、図２は本発明に係るシャワー装置のシャワーヘッドとシャワーホルダの嵌合部の一例の断面図、図３は本発明に係るシャワー装置のシャワーヘッドとシャワーホルダの嵌合部の他の例の断面図である。
【００２４】
これらの図に示すように、１０はシャワー装置であり、シャワー装置１０は、シャワーを吐出するシャワーヘッド１２と、シャワーヘッド１２に水又は温水を供給するホース１４と、シャワーヘッド１２を壁１６に保持するシャワーホルダ１８とからなる。
【００２５】
シャワーヘッド１２は本体部２０と、本体部２０の先端付近に設けられた吐出部２２と、本体部２０の基端に設けられた保持部２４とからなる。本体部２０は手で握れる程度の太さのやや曲がった管状体からなり、吐出部２２は水又は温水のシャワーを吐出するための多数の細孔を備えた面状体からなり、保持部２４は本体部２０の基端部に取り付けられた金属製のリング体からなる。保持部２４の外側はホース側が細くなるようにテーパが設けられている。
【００２６】
ホース１４は可撓性を有する材料からなる。ホース１４の一方の端部は第一接続金具２６を介してシャワーヘッド１２の本体部２０の基端に接続され、ホース１４の他方の端部は第二接続金具（図示せず）を介して混合水栓（図示せず）に接続されている。第一接続金具２６、第二接続金具（図示せず）はいずれも中空のボルトとナットからなる。
【００２７】
シャワーホルダ１８は断面略Ｃ字状のブロック体からなる。シャワーホルダ１８はネジ（図示せず）によって浴室の壁１６に取り付けられ、シャワーホルダ１８の中にはシャワーヘッド１２の保持部２４が差し込まれた状態で保持されている。
【００２８】
シャワーヘッド１２の保持部２４の断面形状は図２に示すように１２角形になっており、シャワーホルダ１８の内側の断面形状及び大きさは、シャワーヘッド１２の外側の断面形状と略同じ１２角形で同じ大きさになっている。シャワーヘッド１２のシャワーホルダ１８に嵌合する部位の外側の断面形状は１２角形に限定されるものではなく、図３に示すように１８角形でもよいし、その他の多角形でもよいが、好ましくは１２角形〜１８角形が良い。
【００２９】
このシャワー装置は、シャワーヘッド１２をシャワーホルダ１８に掛けて使用する場合は図１及び図２に示すような状態になり、シャワーヘッド１２をシャワーホルダ１８から外して使用する場合は図４及び図５に示すような状態になる。なお、図４は本発明に係るシャワー装置で、シャワーホルダ１８からシャワーヘッド１２を外している状態を示す斜視図、図５は本発明に係るシャワー装置のシャワーヘッド１２とシャワーホルダ１８の嵌合部（シャワーホルダからシャワーヘッドを外している状態）の断面図である。
【００３０】
次に、本発明に係るシャワー装置を使用した場合のシャワーヘッドの動きについて説明する。
【００３１】
混合水栓（図示せず）を開放すると熱水と冷水が混合して温水が作られ、この温水がホース１４に供給される。ホース１４に供給された温水はホース１４を通ってシャワーヘッド１２に供給され、シャワーヘッド１２の吐出部２２に設けられた多数の細孔から外に水滴流となって吐出する。
【００３２】
温水が水滴流となってシャワーヘッド１２から吐出すると、吐出する水滴流の反力がシャワーヘッド１２に作用する。シャワーヘッド１２に作用する水滴流の反力が不均一になっている場合、シャワーヘッド１２を回転させようとする力がシャワーヘッド１２に作用する。
【００３３】
シャワーヘッド１２のシャワーホルダ１８に嵌合する部位の外側の断面形状は多角形になっており、シャワーホルダ１８の内側の断面形状及び大きさはシャワーヘッド１２の外側の断面形状と略同じ形状、大きさになっているので、シャワーヘッド１２がシャワーホルダ１８に嵌合した場合、シャワーヘッド１２の外側とシャワーホルダ１８の内側は噛み合い状態になり、シャワーヘッド１２を回転させようとする力がシャワーヘッド１２に作用してもシャワーヘッド１２は回転しない。このため、シャワー装置１０の使用者は安心してシャワー装置１０を使用することができる。
【図面の簡単な説明】
【００３４】
【図１】本発明に係るシャワー装置の斜視図である。
【図２】本発明に係るシャワー装置のシャワーヘッドとシャワーホルダの嵌合部の一例の断面図である。
【図３】本発明に係るシャワー装置のシャワーヘッドとシャワーホルダの嵌合部の他の例の断面図である。
【図４】本発明に係るシャワー装置で、シャワーホルダからシャワーヘッドを外している状態を示す斜視図である。
【図５】本発明に係るシャワー装置のシャワーヘッドとシャワーホルダの嵌合部（シャワーホルダからシャワーヘッドを外している状態）の断面図である。
【図６】従来のシャワー装置の斜視図である。
【図７】従来のシャワー装置の動きを説明するための説明図である。
【符号の説明】
【００３５】
１０ シャワー装置
１２ シャワーヘッド
１４ ホース
１６ 壁
１８ シャワーホルダ
２０ 本体部
２２ 吐出部
２４  保持部
２６ 第一接続金具
【図１】
2009213521.tif 000003
【図２】
2009213521.tif 000004
【図３】
2009213521.tif 000005
【図４】
2009213521.tif 000006
【図５】
2009213521.tif 000007
【図６】
2009213521.tif 000008
【図７】
2009213521.tif 000009